(57)【要約】【課題】本発明は、メインディスプレイパネルとサブディスプレイパネルで構成された２つの画面を１つの拡張された画面で具現したデュアルディスプレイパネルによる１つの拡張された画面を有する携帯端末機とその画面表示制御方法及び画面表示制御装置を提供するためのものである。【解決手段】本発明のデュアルディスプレイパネルによる１つの拡張された画面を有する携帯端末機は、多数のファンクションキー及び数字キーを備えた本体と、前記本体とヒンジにより畳んで広げることができるように結合され、一側にメインディスプレイパネルを備え、他側にヒンジにより畳んで広げることができるように結合されたサブディスプレイパネルを備え、前記メインディスプレイパネルと前記サブディスプレイパネルにより１つの拡張された画面を提供するフォルダを含んで構成されたことを特徴とする。【選択図】図５
2007512759.tif 000002
【特許請求の範囲】
【請求項１】
デュアルディスプレイパネルを有する携帯端末機であって、
多数のファンクションキー及び数字キーを備えた本体と、
前記本体とヒンジにより畳んで広げることができるように結合され、一側にメインディスプレイパネルを備え、他側にヒンジにより畳んで広げることができるように結合されたサブディスプレイパネルを備え、前記メインディスプレイパネルと前記サブディスプレイパネルにより１つの拡張された画面を提供するフォルダを含んで構成され、
前記携帯端末機は、
前記サブディスプレイパネルが畳んでいる時には前記メインディスプレイパネルと前記サブディスプレイパネルが各々独立的に駆動するように制御し、前記サブディスプレイパネルが広げられている時には前記メインディスプレイパネルと前記サブディスプレイパネルが１つの拡張された画面で駆動するように制御するディスプレイモジュールを更に含んで構成され、
前記ディスプレイモジュールは、
前記メインディスプレイパネルのローラインを順次に選択してスキャンするメインスキャンドライバと、
前記メインディスプレイパネルのカラムラインに映像データ信号を印加するメインデータドライバと、
前記サブディスプレイパネルのローラインを順次に選択してスキャンするサブスキャンドライバと、
前記サブディスプレイパネルのカラムラインに映像データ信号を印加するサブデータドライバと、
前記メインスキャンドライバと前記メインデータドライバを駆動して前記メインディスプレイパネルを動作し、前記メインスキャンドライバと前記メインデータドライバ、前記サブスキャンドライバと前記サブデータドライバを駆動して前記メインディスプレイパネルと前記サブディスプレイパネルが１つの拡張された画面で動作するように制御する１つのコントローラを含んで構成され、
前記コントローラは、
前記携帯端末機のメインシステムからウィンドウデータをリード及びライトするウィンドウリード／ライト回路部と、
前記メインディスプレイパネルを駆動するためのメインスキャンデータ信号とメイン映像データ信号を格納しているメインビデオメモリと、
前記サブディスプレイパネルを駆動するためのサブスキャンデータ信号とサブ映像データ信号を格納しているサブビデオメモリと、
前記メインビデオメモリ及び前記サブビデオメモリと前記ウィンドウリード／ライト回路部との間に伝送されるデータをロジカルまたはフィジカルでマッピングするロジカル／フィジカルマッピング回路部と、
前記フリップセンサーの信号により前記サブビデオメモリに格納された前記サブスキャンデータ信号と前記サブ映像データ信号をＸＹ変換して出力するＸＹ変換ロジック部と、
前記メインビデオメモリから受信されたメインスキャンデータ信号と前記メイン映像データ信号を前記メインスキャンドライバと前記メインデータドライバに伝送するメインスキャン／データインターフェース部と、
前記ＸＹ変換ロジック部から受信されたサブスキャンデータ信号とサブ映像データ信号を前記サブスキャンドライバと前記サブデータドライバに伝送するサブスキャン／データインターフェース部と、
を含んで構成されたことを特徴とするデュアルディスプレイパネルによる１つの拡張された画面を有する携帯端末機。
【請求項２】
前記携帯端末機は、
前記メインディスプレイパネルと前記サブディスプレイパネルにより継手がほとんどない１つの拡張された画面を提供するフォルダを含んで構成されたことを特徴とする請求項１に記載のデュアルディスプレイパネルによる１つの拡張された画面を有する携帯端末機。
【請求項３】
前記携帯端末機は、
前記サブディスプレイパネルを広げた時、前記メインディスプレイパネルとサブディスプレイパネルとの間に継手がほとんど生じないように、前記メインディスプレイパネルとサブディスプレイパネルを前記フォルダの一側角まで形成したことを特徴とする請求項１に記載のデュアルディスプレイパネルによる１つの拡張された画面を有する携帯端末機。
【請求項４】
前記携帯端末機は、
前記１つの拡張された画面で１６：９形態のウィンドウ画面を提供することを特徴とする請求項１に記載のデュアルディスプレイパネルによる１つの拡張された画面を有する携帯端末機。
【請求項５】
前記携帯端末機は、
前記サブディスプレイパネルの畳んで広げた状態を感知するフリップセンサーを更に含んで構成されたことを特徴とする請求項１に記載のデュアルディスプレイパネルによる１つの拡張された画面を有する携帯端末機。
【請求項６】
前記携帯端末機は、前記画面の一側に翻訳台詞、携帯端末機の通信情報を含んだ文字情報を少なくとも１つ以上表示したことを特徴とする請求項１に記載のデュアルディスプレイパネルによる１つの拡張された画面を有する携帯端末機。
【請求項７】
前記携帯端末機に設けられるアンテナは、前記サブディスプレイパネルに結合されたヒンジと反対方向に位置することを特徴とする請求項１に記載のデュアルディスプレイパネルによる１つの拡張された画面を有する携帯端末機。
【請求項８】
前記携帯端末機は、
前記サブディスプレイパネルを広げた時、前記メインディスプレイパネルに構成されたメインアイコンと前記サブディスプレイパネルに構成されたサブアイコンが同一な方向に構成されたことを特徴とする請求項１に記載のデュアルディスプレイパネルによる１つの拡張された画面を有する携帯端末機。
【請求項９】
前記メインアイコンは、棒（bar）、外郭四角形、逆状（reverse）を含んだいずれか１つの形態でメニュー機能を与えて指定された動作を遂行するように構成されたことを特徴とする請求項８に記載のデュアルディスプレイパネルによる１つの拡張された画面を有する携帯端末機。
【請求項１０】
前記サブアイコンは、前記サブディスプレイパネルを広げた時、前記サブアイコンの表現の機能性が維持されるように、できる限り上下左右に対称された形態を有することを特徴とする請求項８に記載のデュアルディスプレイパネルによる１つの拡張された画面を有する携帯端末機。
【請求項１１】
前記メインディスプレイパネルと前記サブディスプレイパネルは、有機ＬＥＤ（Organic ＬＥＤ）と液晶ディスプレイ（ＬＣＤ）のようなＦＰＤ（Flat Panel Display）から構成されたことを特徴とする請求項１に記載のデュアルディスプレイパネルによる１つの拡張された画面を有する携帯端末機。
【請求項１２】
前記ロジカル／フィジカルマッピング回路部は、
座標（ＸＬ）及び座標（Ｘｍ）を受信する減算器と、
前記座標（ＹＬ）及び座標（Ｙｍ）を受信する加算器と、
前記座標（ＸＬ）と座標（０）を受信する第１比較器と、
前記座標（ＸＬ）と前記座標（Ｘｍ）を受信する第２比較器と、
前記座標（ＸＬ）と座標（Ｘｍ＋Ｘｓ）を受信する第３比較器と、
前記第１乃至第３比較器の出力信号を受信する論理組合部と、
前記論理組合部の出力信号により前記座標（ＸＬ）と前記減算器の出力信号のうち、いずれか１つを選択して座標（ＸＰ）に出力する第１マクスと、
前記論理組合部の出力信号により前記座標（ＹＬ）と前記加算器の出力信号のうち、いずれか１つを選択して座標（ＹＰ）に出力する第２マクスを含んで構成され、
前記座標（ＸＬ、ＹＬ）はロジカルディスプレイメモリのウィンドウ（Ｗ１）上の座標であり、前記座標（Ｘｍ、Ｙｍ）は画面の大きさがＸｍ×Ｙｍのメインディスプレイパネルの座標であり、前記座標（Ｘｓ）は画面の大きさがＸｓ×Ｙｓのサブディスプレイパネル（Ｗ２）の座標であり、前記座標（ＸＰ、ＹＰ）はロジカルディスプレイメモリのウィンドウ（Ｗ１）上の座標（ＸＬ、ＹＬ）に対応するフィジカルビデオメモリの一座標であることを特徴とする請求項１に記載のデュアルディスプレイパネルによる１つの拡張された画面を有する携帯端末機。
【請求項１３】
前記ウィンドウリード／ライト回路部は、
座標（Ｘｅ）及び座標（Ｘｂ）を受信する第１減算器と、
前記第１減算器の出力信号を格納する第１レジスタと、
前記第１レジスタの出力信号を受信して１ずつ加算する第１加算器と、
座標（Ｙｅ）及び座標（Ｙｂ）を受信する第２減算器と、
前記第２減算器の出力信号を格納する第２レジスタと、
前記第２レジスタの出力信号を受信して１ずつ加算する第２加算器と、
前記第１及び第２加算器の出力信号のうち、いずれか１つを選択するマルチプレクサと、
前記マルチプレクサの出力信号を格納する第３レジスタと、
前記第３レジスタの出力信号とクロック信号（ＣＬＫ）及びリード／ライト命令信号（Read／Write）を受信するコントロールロジック部と、
前記コントロールロジック部の出力信号を受信するカウンター回路部と、
前記第１レジスタ及び前記カウンター回路部の出力信号を受信する変更子と、
前記第１レジスタ及び前記カウンター回路部の出力信号を受信する除算器と、
前記変更子の出力信号と座標（Ｘｂ）を受信して座標（ＸＬ）を生じる第３加算器と、
前記除算器の出力信号と座標（Ｙｂ）を受信して座標（Ｙｂ）を生じる第４加算器と、を含んで構成されて、
前記座標（Ｘｂ、Ｙｂ）（Ｘｅ、Ｙｅ）はロジカルディスプレイメモリでのウィンドウの座標であり、前記座標（ＸＬ、ＹＬ）は前記ロジカルディスプレイメモリのウィンドウ上の座標であり、Ｘｅ>Ｘｂ、Ｙｅ>Ｙｂの条件を満たすことを特徴とする請求項１に記載のデュアルディスプレイパネルによる１つの拡張された画面を有する携帯端末機。
【請求項１４】
多数のファンクションキー及び数字キーを備えた本体と、前記本体とヒンジにより畳んで広げることができるように結合され、一側にメインディスプレイパネルが備えられ、他側にヒンジにより畳んで広げることができるように結合されたサブディスプレイパネルを備えた携帯端末機の画面表示制御方法であって、
前記サブディスプレイパネルが畳んでいる時には前記メインディスプレイパネルと前記サブディスプレイパネルがコントローラにより各々独立的に駆動されるように制御されるステップと、
前記サブディスプレイパネルが広げられている時には前記メインディスプレイパネルと前記サブディスプレイパネルが前記コントローラにより継手がほとんどない１つの拡張された画面で駆動されるように制御されるステップと、を含んでなり、
前記１つの拡張された画面は１６：９形態のウィンドウ画面を有することを特徴とし、
前記１６：９形態のウィンドウ画面は、
前記メインディスプレイパネルがＸｍ×Ｙｍであり、前記サブディスプレイパネルがＸｓ×Ｙｓの大きさを有する際、
１６：９画面の構成式（Ｘｍ＋Ｘｓ）：Ｙｓ＝１６：９において、
（Ｘｍ＋Ｘｓ）・１６Ｙｓ／９（ここで、Ｘｍ・Ｘｓ、Ｙｍ・Ｙｓ）
前記式を満たすことを特徴とするデュアルディスプレイパネルによる１つの拡張された画面を有する携帯端末機の画面表示制御方法。
【請求項１５】
前記１つの拡張された画面は、
中間に 継手がほとんど生じないように前記メインディスプレイパネルとサブディスプレイパネルを前記フォルダの一側角まで形成することを特徴とする請求項１4に記載のデュアルディスプレイパネルによる１つの拡張された画面を有する携帯端末機の画面表示制御方法。
【請求項１６】
前記１つの拡張された画面は、
一側に翻訳台詞、携帯端末機の通信情報を含んだ文字情報を少なくとも１つ以上表示することを特徴とする請求項１4に記載のデュアルディスプレイパネルによる１つの拡張された画面を有する携帯端末機の画面表示制御方法。
【請求項１７】
前記１つの拡張された画面は、
前記メインディスプレイパネルに構成されたメインアイコンと前記サブディスプレイパネルに構成されたサブアイコンが同一な方向にくるように構成することを特徴とする請求項１4に記載のデュアルディスプレイパネルによる１つの拡張された画面を有する携帯端末機の画面表示制御方法。
【請求項１８】
前記メインアイコンは、棒（bar）、外郭四角形、逆状（reverse）を含んだいずれか１つの形態でメニュー機能を与えて指定された動作を遂行するように構成することを特徴とする請求項17に記載のデュアルディスプレイパネルによる１つの拡張された画面を有する携帯端末機の画面表示制御方法。
【請求項１９】
前記サブアイコンは、前記サブディスプレイパネルを広げた時、前記サブアイコンの表現の機能性が維持されるように、できる限り上下左右に対称された形態を有するように構成することを特徴とする請求項17に記載のデュアルディスプレイパネルによる１つの拡張された画面を有する携帯端末機の画面表示制御方法。
【請求項２０】
デュアルディスプレイパネルを有する携帯端末機であって、
メインディスプレイパネルのローラインを順次に選択してスキャンするメインスキャンドライバと、
前記メインディスプレイパネルのカラムラインに映像データ信号を印加するメインデータドライバと、
サブディスプレイパネルのローラインを順次に選択してスキャンするサブスキャンドライバと、
前記サブディスプレイパネルのカラムラインに映像データ信号を印加するサブデータドライバと、
前記メインディスプレイパネルと前記サブディスプレイパネルが各々独立的に駆動されるように前記ドライバを各々制御し、前記メインディスプレイパネルと前記サブディスプレイパネルが１つの拡張された画面で駆動されるように前記ドライバを各々制御する１つのコントローラを含み、
前記コントローラは、
前記携帯端末機のメインシステムからウィンドウデータをリード及びライトするウィンドウリード／ライト回路部と、
前記メインディスプレイパネルを駆動するためのメインスキャンデータ信号とメイン映像データ信号を格納しているメインビデオメモリと、
前記サブディスプレイパネルを駆動するためのサブスキャンデータ信号とサブ映像データ信号を格納しているサブビデオメモリと、
前記メインビデオメモリ及び前記サブビデオメモリと前記ウィンドウリード／ライト回路部との間に伝送されるデータをロジカルまたはフィジカルでマッピングするロジカル／フィジカルマッピング回路部と、
前記フリップセンサーの信号により前記サブビデオメモリに格納された前記サブスキャンデータ信号と前記サブ映像データ信号をＸＹ変換して出力するＸＹ変換ロジック部と、
前記メインビデオメモリから受信されたメインスキャンデータ信号と前記メイン映像データ信号を前記メインスキャンドライバと前記メインデータドライバに伝送するメインスキャン／データインターフェース部と、
前記ＸＹ変換ロジック部から受信されたサブスキャンデータ信号とサブ映像データ信号を前記サブスキャンドライバと前記サブデータドライバに伝送するサブスキャン／データインターフェース部と、
を含んで構成されたことを特徴とするデュアルディスプレイパネルによる１つの拡張された画面を有する携帯端末機の画面表示制御装置。
【請求項２１】
前記ロジカル／フィジカルマッピング回路部は、
座標（ＸＬ）及び座標（Ｘｍ）を受信する減算器と、
前記座標（ＹＬ）及び座標（Ｙｍ）を受信する加算器と、
前記座標（ＸＬ）と座標（０）を受信する第１比較器と、
前記座標（ＸＬ）と前記座標（Ｘｍ）を受信する第２比較器と、
前記座標（ＸＬ）と座標（Ｘｍ＋Ｘｓ）を受信する第３比較器と、
前記第１乃至第３比較器の出力信号を受信する論理組合部と、
前記論理組合部の出力信号により前記座標（ＸＬ）と前記減算器の出力信号のうち、いずれか１つを選択して座標（ＸＰ）に出力する第１マクスと、
前記論理組合部の出力信号により前記座標（ＹＬ）と前記加算器の出力信号のうち、いずれか１つを選択して座標（ＹＰ）に出力する第２マクスと、を含んで構成され、
前記座標（ＸＬ、ＹＬ）はロジカルディスプレイメモリのウィンドウ（Ｗ１）上の座標であり、前記座標（Ｘｍ、Ｙｍ）は画面の大きさがＸｍ×Ｙｍのメインディスプレイパネルの座標であり、前記座標（Ｘｓ）は画面大きさがＸｓ×Ｙｓのサブディスプレイパネル（Ｗ２）の座標であり、前記座標（ＸＰ、ＹＰ）はロジカルディスプレイメモリのウィンドウ（Ｗ１）上の座標（ＸＬ、ＹＬ）に対応するフィジカルビデオメモリの一座標であることを特徴とする請求項２0に記載のデュアルディスプレイパネルによる１つの拡張された画面を有する携帯端末機の画面表示制御装置。
【請求項２２】
前記ウィンドウリード／ライト回路部は、
座標（Ｘｅ）及び座標（Ｘｂ）を受信する第１減算器と、
前記第１減算器の出力信号を格納する第１レジスタと、
前記第１レジスタの出力信号を受信して１ずつ加算する第１加算器と、
座標（Ｙｅ）及び座標（Ｙｂ）を受信する第２減算器と、
前記第２減算器の出力信号を格納する第２レジスタと、
前記第２レジスタの出力信号を受信して１ずつ加算する第２加算器と、
前記第１及び第２加算器の出力信号のうち、いずれか１つを選択するマルチプレクサと、
前記マルチプレクサの出力信号を格納する第３レジスタと、
前記第３レジスタの出力信号とクロック信号（ＣＬＫ）及びリード／ライト命令信号（Read/Write）を受信するコントロールロジック部と、
前記コントロールロジック部の出力信号を受信するカウンター回路部と、
前記第１レジスタ及び前記カウンター回路部の出力信号を受信する変更子と、
前記第１レジスタ及び前記カウンター回路部の出力信号を受信する除算器と、
前記変更子の出力信号と座標（Ｘｂ）を受信して座標（ＸＬ）を生じる第３加算器と、
前記除算器の出力信号と座標（Ｙｂ）を受信して座標（Ｙｂ）を生じる第４加算器と、を含んで構成され、
前記座標（Ｘｂ、Ｙｂ）（Ｘｅ、Ｙｅ）は、ロジカルディスプレイメモリでのウィンドウの座標であり、前記座標（ＸＬ、ＹＬ）は前記ロジカルディスプレイメモリのウィンドウ上の座標であり、Ｘｅ＞Ｘｂ、Ｙｅ＞Ｙｂの条件を満たすことを特徴とする請求項２0に記載のデュアルディスプレイパネルによる１つの拡張された画面を有する携帯端末機の画面表示制御装置。
【発明の詳細な説明】
【技術分野】
【０００１】
本発明は、デュアルディスプレイパネル（Dual display panel）による１つの拡張された画面を有する携帯端末機とその画面表示制御方法及び画面表示制御装置に関し、特にメインディスプレイパネル（main display panel）を備えたフォルダの一側面にヒンジにより畳んで広げることができるサブディスプレイパネル（sub display panel）を構成して２つの画面を１つの拡張された画面で具現したデュアルディスプレイパネルによる１つの拡張された画面を有する携帯端末機とその画面表示制御方法及び画面表示制御装置に関する。
【背景技術】
【０００２】
一般に、携帯端末機は、サイズがコンパクトで、利用が便利であるため、その利用が急速に広がっている。携帯端末機は、バー型（Bar-type）、フリップ型（Flip-type）、フォルダ型（Folder type）、スライディングフォルダ型（Sliding Folder type）などがある。
【０００３】
これらの携帯端末機には、バッテリーの残量状態、通信サービス可能の可否を表す受信電界強度、ＳＭＳメッセージの管理、発信者情報（caller identification ; ＣＩＤ）及び時間表示などの情報を確認して携帯端末機の利用をより便利に使用できるようにパネル（panel）にディスプレイしている。このようなパネルは、携帯が容易なＦＰＤ（Flat Panel Display）系列のディスプレイが採用されており、ＬＣＤまたはＴＦＴ（Thin Film Transistor）−ＬＣＤが広く利用されており、小型の場合、反応速度、大きさなどに長所がある有機ＥＬＤ（Organic ＬＥＤ）の利用が拡大されている。
【０００４】
この頃、広く普及しているデュアルディスプレイパネルフォルダ型携帯端末機は、フォルダの内側にメインディスプレイパネル（main display panel）があり、外側にサブディスプレイパネル（sub display panel）が備えられているので、フォルダが閉められた状態でも前記のような種々なる情報を容易に確認することができる機能を提供する。
【０００５】
図１は、従来技術に係るデュアルディスプレイパネルフォルダ型携帯端末機の外形を示す斜視図であって、図１ａは、携帯端末機を畳んだ時の外形斜視図であり、図１ｂは、携帯端末機を広げた時に外側から見た外形斜視図であり、図１ｃは、携帯端末機を広げた時に内側から見た外形斜視図である。
【０００６】
従来のデュアルディスプレイパネルフォルダ型携帯端末機１０は、前記図１ａ乃至図１ｃに示すように、フォルダ１０ａと本体１０ｂから構成されており、前記フォルダ１０ａと前記本体１０ｂは、ヒンジ１１により開閉できるように結合されている。そして、前記フォルダ１０ａの内側にはディスプレイ用液晶画面であるメインディスプレイパネル１５とイヤホン１６が備えられており、前記フォルダ１０ａの外側にはディスプレイ用液晶画面であるサブディスプレイパネル１４が備えられている。そして、前記本体１０ｂの内側には各種機能ボタン及び番号ボタンを含むキーパッド１７とマイク１８が備えられており、前記下部フォルダ１０ｂの外側にはバッテリー１３が挿入され、一側の上部にアンテナ１２を備えている。
【０００７】
図２は、従来技術に係るデュアルディスプレイパネルフォルダ型携帯端末機のディスプレイモジュールのブロック構成図である。
【０００８】
前記ディスプレイモジュール２０は、前記図２に示すように、メインディスプレイパネル１５、メインスキャンドライバ１５ａ、メインデータドライバ１５ｂ、メインディスプレイパネルコントローラ１５ｃ、サブディスプレイパネル１４、サブスキャンドライバ１４ａ、サブデータドライバ１４ｂ及びサブディスプレイパネルコントローラ１４ｃを含んで構成される。
【０００９】
前記メインディスプレイパネル１５は、多数のローライン（Row Line）及びカラムライン（Column Line）がマトリックス（Matrix）形態で構成されて多数のピクセル（pixel）を形成しており、前記メインスキャンドライバ１５ａ、前記メインデータドライバ１５ｂ及び前記メインディスプレイパネルコントローラ１５ｃによりその動作が制御される。
【００１０】
この際、前記メインスキャンドライバ１５ａは、前記メインディスプレイパネル１５のローライン（Ｙ軸）を順次に選択するスキャン動作を遂行する。
【００１１】
そして、前記メインデータドライバ１５ｂは、前記メインディスプレイパネル１５のカラムライン（Ｘ軸）にディスプレイされる映像データを電圧または電流に変換して印加する。
【００１２】
前記メインディスプレイパネルコントローラ１５ｃは、前記メインスキャンドライバ１５ａにスキャン信号を印加し、前記メインデータドライバ１５ｂに映像データ信号を印加して、前記メインスキャンドライバ１５ａ及び前記メインデータドライバ１５ｂの動作を各々制御する。
【００１３】
前記サブディスプレイパネル１４は、多数のローライン（Row Line）及びカラムライン（Column Line）がマトリックス形態で構成されて多数のピクセルを形成しており、前記サブスキャンドライバ１４ａ、前記サブデータドライバ１４ｂ、前記サブディスプレイパネルコントローラ１４ｃによりその動作が制御される。
【００１４】
同様に、前記サブスキャンドライバ１４ａは、前記サブディスプレイパネル１４のローライン（Ｙ軸）を順次に選択するスキャン動作を遂行する。
【００１５】
そして、前記サブデータドライバ１４ｂは、前記サブディスプレイパネル１４のカラムライン（Ｘ軸）にディスプレイされる映像データを電圧または電流に変換して印加する。
【００１６】
前記サブディスプレイパネルコントローラ１４ｃは、前記サブスキャンドライバ１４ａにスキャン信号を印加し、前記サブデータドライバ１４ｂに映像データ信号を印加して、前記サブスキャンドライバ１４ａ及び前記サブデータドライバ１４ｂの動作を各々制御する。
【００１７】
従来のデュアルディスプレイパネルを有する携帯端末機には、携帯ホーン（携帯ホーン機）に対するものであって、大韓民国特許公開公報第２００２−００１４２４８号（デュアルＬＣＤを有する携帯ホーン機）において、フォルダの上段部をもう一度畳むことができるようにしたものと、大韓民国特許公開公報第２００２−００３６１８３号（ダブルＬＣＤが装着された携帯ホーン）では回転バーを用いて上下に動けるようにしたものがある。そして、大韓民国特許公開公報第２００３−００３７１２６号（デュアル液晶表示装置を有するフォルダ型携帯ホーンとその携帯ホーンのウィンドウ画面表示制御装置及び制御方法）は、ヒンジにより横に畳んで広げることができるようにしたものがある。
【００１８】
しかしながら、上記のように構成された従来のデュアルディスプレイパネルフォルダ型携帯端末機は、メインディスプレイパネル１５とサブディスプレイパネル１４が各々独立的に構成されているので、１６：９のような大画面映像の具現には多くの困難な問題があった。即ち、１６：９形態のＨＤＴＶマルチメディアコンテンツ（multi‐media contents）のような大画面映像の場合、原本の１６：９形態で具現されることでなく、携帯端末機に備えられたメインディスプレイパネル１５の形態に合うように修正して表すことによって、ディジタルコンテンツ（digital contents）の再現性が顕著に落ちて画面の形態が変形される問題があった。
【００１９】
また、従来のデュアルディスプレイパネルフォルダ型携帯端末機は、ディスプレイモジュールにおいて、パネルの動作を制御するコントローラ（display controller）がメインディスプレイパネル１５とサブディスプレイパネル１４に各々１つずつ構成されているため、回路の面積をたくさん占める問題があったのであり、電力消費も増加する問題があった。
【００２０】
携帯端末機の機能がますます複合化されることによって、携帯端末機のメインディスプレイパネルとサブディスプレイパネルの大きさも徐々に大型化されている趨勢であり、動映像などのディジタルマルチメディア（digitalmulti-media）の機能も一層強化（例えば、携帯端末機によるＨＤＴＶの受信）されている実状である。
【００２１】
【特許文献１】大韓民国特許公開公報第２００２−００１４２４８号
【特許文献２】大韓民国特許公開公報第２００２−００３６１８３号
【特許文献３】大韓民国特許公開公報第２００３−００３７１２６号
【発明の開示】
【発明が解決しようとする課題】
【００２２】
したがって、本発明は、前記の問題を解決するためになされたものであって、メインディスプレイパネルとサブディスプレイパネルから構成された２つの画面を１つの拡張された画面で具現したデュアルディスプレイパネルによる１つの拡張された画面を有する携帯端末機とその画面表示制御方法及び画面表示制御装置を提供することをその目的とする。
【００２３】
また、本発明の他の目的は、メインディスプレイパネルとサブディスプレイパネルから構成された２つの画面を継手がほとんどない１つの統合された画面で具現したデュアルディスプレイパネルによる１つの拡張された画面を有する携帯端末機とその画面表示制御方法及び画面表示制御装置を提供することにある。
【００２４】
また、本発明の更に他の目的は、メインディスプレイパネルとサブディスプレイパネルから構成された２つの画面を継手がほとんどない１つの統合された画面で構成し、該統合された画面に１６：９のような大画面形態の映像を具現したデュアルディスプレイパネルによる１つの拡張された画面を有する携帯端末機とその画面表示制御方法及び画面表示制御装置を提供することにある。
【００２５】
また、本発明の更に他の目的は、メインディスプレイパネルとサブディスプレイパネルから構成された２つの画面を継手がほとんどない１つの統合された画面で構成し、この統合された画面に１６：９のような大画面形態の映像と共に台詞及び通信情報などの付加情報を共に表すようにしたデュアルディスプレイパネルによる１つの拡張された画面を有する携帯端末機とその画面表示制御方法及び画面表示制御装置を提供することにある。
【００２６】
また、本発明の更に他の目的は、メインディスプレイパネルとサブディスプレイパネルを各々制御する２つのディスプレイコントローラを１つの単一チップ（chip）で具現することによって、回路の大きさの最適化及び低電力化を実現したデュアルディスプレイパネルによる１つの拡張された画面を有する携帯端末機とその画面表示制御方法及び画面表示制御装置を提供することにある。
【００２７】
また、本発明の更に他の目的は、メインディスプレイパネルとサブディスプレイパネルから構成された１つの統合された画面にメインアイコンとサブアイコンが同一な方向に位置するように具現したデュアルディスプレイパネルによる１つの拡張された画面を有する携帯端末機とその画面表示制御方法及び画面表示制御装置を提供することにある。
【００２８】
また、本発明の更に他の目的は、サブアイコンの形態がサブディスプレイパネルの畳んで広げる動作と関係無しに、常に同一な形態を有するように前記サブアイコンの形態を対称的に具現したデュアルディスプレイパネルによる１つの拡張された画面を有する携帯端末機とその画面表示制御方法及び画面表示制御装置を提供することにある。
【００２９】
また、本発明の更に他の目的は、メインディスプレイパネルとサブディスプレイパネルから構成された１つの統合された画面に構成されるメインアイコンを機能性アイコンで具現したデュアルディスプレイパネルによる１つの拡張された画面を有する携帯端末機とその画面表示制御方法及び画面表示制御装置を提供することにある。
【課題を解決するための手段】
【００３０】
前記の目的を達成するための本発明によるデュアルディスプレイパネルによる１つの拡張された画面を有する携帯端末機は、多数のファンクションキー及び数字キーを備えた本体と、前記本体とヒンジにより畳んで広げることができるように結合され、一側にメインディスプレイパネルを備え、他側にヒンジにより畳んで広げることができるように結合されたサブディスプレイパネルを備え、前記メインディスプレイパネルと前記サブディスプレイパネルにより１つの拡張された画面を提供するフォルダを含んで構成されたことを特徴とする。
【００３１】
前記携帯端末機は、前記メインディスプレイパネルと前記サブディスプレイパネルにより継手がほとんどない１つの拡張された画面を提供するフォルダを含んで構成されたことを特徴とする。
【００３２】
前記携帯端末機は、前記サブディスプレイパネルを広げた時、前記メインディスプレイパネルとサブディスプレイパネルとの間に継手がほとんど生じないように、前記メインディスプレイパネルとサブディスプレイパネルを前記フォルダの一側角まで形成したことを特徴とする。
【００３３】
前記携帯端末機は、前記１つの拡張された画面で１６：９形態のウィンドウ画面を提供することを特徴とする。
【００３４】
前記携帯端末機は、前記サブディスプレイパネルの畳んで広げた状態を感知するフリップセンサーを更に含んで構成されたことを特徴とする。
【００３５】
前記携帯端末機は、前記画面の一側に翻訳台詞、携帯端末機の通信情報を含んだ文字情報を少なくとも１つ以上表示したことを特徴とする。
【００３６】
前記携帯端末機に設けられるアンテナは、前記サブディスプレイパネルに結合されたヒンジと反対方向に位置することを特徴とする。
【００３７】
前記携帯端末機は、前記サブディスプレイパネルを広げた時、前記メインディスプレイパネルに構成されたメインアイコンと前記サブディスプレイパネルに構成されたサブアイコンが同一な方向に構成されたことを特徴とする。
【００３８】
前記メインアイコンは、棒（bar）、外郭四角形、逆状（reverse）を含んだいずれか１つの形態でメニュー機能を与えて指定された動作を遂行するように構成されたことを特徴とする。
【００３９】
前記サブアイコンは、前記サブディスプレイパネルを広げた時、前記サブアイコンの表現の機能性が維持されるように、できる限り上下左右に対称された形態を有することを特徴とする。
【００４０】
前記メインディスプレイパネルと前記サブディスプレイパネルは、有機ＬＥＤ（Organic  ＬＥＤ）と液晶ディスプレイ（ＬＣＤ）のようなＦＰＤ（Flat Panel Display）から構成されたことを特徴とする。
【００４１】
前記携帯端末機は、前記サブディスプレイパネルが畳んでいる時には前記メインディスプレイパネルと前記サブディスプレイパネルが各々独立的に駆動されるように制御し、前記サブディスプレイパネルが広げられている時には前記メインディスプレイパネルと前記サブディスプレイパネルが１つの拡張された画面で駆動されるように制御するディスプレイモジュールを更に含んで構成されたことを特徴とする。
【００４２】
前記ディスプレイモジュールは、前記メインディスプレイパネルのローラインを順次に選択してスキャンするメインスキャンドライバと、前記メインディスプレイパネルのカラムラインに映像データ信号を印加するメインデータドライバと、前記サブディスプレイパネルのローラインを順次に選択してスキャンするサブスキャンドライバと、前記サブディスプレイパネルのカラムラインに映像データ信号を印加するサブデータドライバと、前記メインスキャンドライバと前記メインデータドライバを駆動して前記メインディスプレイパネルを動作し、前記メインスキャンドライバと前記メインデータドライバ、前記サブスキャンドライバと前記サブデータドライバを駆動して前記メインディスプレイパネルと前記サブディスプレイパネルが１つの拡張された画面で動作するように制御する１つのコントローラを含んで構成されたことを特徴とする。
【００４３】
前記コントローラは、前記携帯端末機のメインシステムからウィンドウデータをリード及びライトするウィンドウリード／ライト回路部と、前記メインディスプレイパネルを駆動するためのメインスキャンデータ信号とメイン映像データ信号を格納しているメインビデオメモリと、前記サブディスプレイパネルを駆動するためのサブスキャンデータ信号とサブ映像データ信号を格納しているサブビデオメモリと、前記メインビデオメモリ及び前記サブビデオメモリと前記ウィンドウリード／ライト回路部との間に伝送されるデータをロジカルまたはフィジカルでマッピングするロジカル／フィジカルマッピング回路部と、前記フリップセンサーの信号により前記サブビデオメモリに格納された前記サブスキャンデータ信号と前記サブ映像データ信号をＸＹ変換して出力するＸＹ変換ロジック部と、前記メインビデオメモリから受信されたメインスキャンデータ信号と前記メイン映像データ信号を前記メインスキャンドライバと前記メインデータドライバに伝送するメインスキャン／データインターフェース部と、前記ＸＹ変換ロジック部から受信されたサブスキャンデータ信号とサブ映像データ信号を前記サブスキャンドライバと前記サブデータドライバに伝送するサブスキャン／データインターフェース部と、を含んで構成されたことを特徴とする。
【００４４】
前記ロジカル／フィジカルマッピング回路部は、座標（ＸＬ）及び座標（Ｘｍ）を受信する減算器と、前記座標（ＹＬ）及び座標（Ｙｍ）を受信する加算器と、前記座標（ＸＬ）と座標（０）を受信する第１比較器と、前記座標（ＸＬ）と前記座標（Ｘｍ）を受信する第２比較器と、前記座標（ＸＬ）と座標（Ｘｍ＋Ｘｓ）を受信する第３比較器と、前記第１乃至第３比較器の出力信号を受信する論理組合部と、前記論理組合部の出力信号により前記座標（ＸＬ）と前記減算器の出力信号のうち、いずれか１つを選択して座標（ＸＰ）に出力する第１マクスと、前記論理組合部の出力信号により前記座標（ＹＬ）と前記加算器の出力信号のうち、いずれか１つを選択して座標（ＹＰ）に出力する第２マクスを含んで構成され、前記座標（ＸＬ、ＹＬ）は、ロジカルディスプレイメモリのウィンドウ（Ｗ１）上の座標であり、前記座標（Ｘｍ、Ｙｍ）は、画面の大きさがＸｍ×Ｙｍのメインディスプレイパネルの座標であり、前記座標（Ｘｓ）は、画面の大きさがＸｓ×Ｙｓのサブディスプレイパネル（Ｗ２）の座標であり、前記座標（ＸＰ、ＹＰ）は、ロジカルディスプレイメモリのウィンドウ（Ｗ１）上の座標（ＸＬ、ＹＬ）に対応するフィジカルビデオメモリの一座標であることを特徴とする。
【００４５】
前記ウィンドウリード／ライト回路部は、座標（Ｘｅ）及び座標（Ｘｂ）を受信する第１減算器と、前記第１減算器の出力信号を格納する第１レジスタと、前記第１レジスタの出力信号を受信して１ずつ加算する第１加算器と、座標（Ｙｅ）及び座標（Ｙｂ）を受信する第２減算器と、前記第２減算器の出力信号を格納する第２レジスタと、前記第２レジスタの出力信号を受信して１ずつ加算する第２加算器と、前記第１及び第２加算器の出力信号のうち、いずれか１つを選択するマルチプレクサと、前記マルチプレクサの出力信号を格納する第３レジスタと、前記第３レジスタの出力信号とクロック信号（ＣＬＫ）及びリード／ライト命令信号（Read／Write）を受信するコントロールロジック部と、前記コントロールロジック部の出力信号を受信するカウンター回路部と、前記第１レジスタ及び前記カウンター回路部の出力信号を受信する変更子と、前記第１レジスタ及び前記カウンター回路部の出力信号を受信する除算器と、前記変更子の出力信号と座標（Ｘｂ）を受信して座標（ＸＬ）を生じる第３加算器と、前記除算器の出力信号と座標（Ｙｂ）を受信して座標（Ｙｂ）を生じる第４加算器と、を含んで構成され、前記座標（Ｘｂ、Ｙｂ）（Ｘｅ、Ｙｅ）は、ロジカルディスプレイメモリでのウィンドウの座標であり、前記座標（ＸＬ、ＹＬ）は、前記ロジカルディスプレイメモリのウィンドウ上の座標であり、Ｘｅ>Ｘｂ、Ｙｅ>Ｙｂの条件を満たすことを特徴とする。
【００４６】
前記の目的を達成するための本発明によるデュアルディスプレイパネルによる１つの拡張された画面を有する携帯端末機の画面表示制御方法は、多数のファンクションキー及び数字キーを備えた本体と、前記本体とヒンジにより畳んで広げることができるように結合され、一側にメインディスプレイパネルが備えられ、他側にヒンジにより畳んで広げることができるように結合されたサブディスプレイパネルを備えた携帯端末機の画面表示制御方法であって、前記サブディスプレイパネルが畳んでいる時には前記メインディスプレイパネルと前記サブディスプレイパネルが各々独立的に駆動されるように制御するステップと、前記サブディスプレイパネルが広げられている時には前記メインディスプレイパネルと前記サブディスプレイパネルが継手がほとんどない１つの拡張された画面で駆動されるように制御するステップと、を含んでなることを特徴とする。
【００４７】
前記１つの拡張された画面は、１６：９形態のウィンドウ画面を有することを特徴とする。
【００４８】
前記１６：９形態のウィンドウ画面は、前記メインディスプレイパネルがＸｍ×Ｙｍであり、前記サブディスプレイパネルがＸｓ×Ｙｓの大きさを有する時、１６：９画面の構成式（Ｘｍ＋Ｘｓ）：Ｙｓ＝１６：９において、（Ｘｍ＋Ｘｓ）・１６Ｙｓ／９（ここで、Ｘｍ・Ｘｓ、Ｙｍ・Ｙｓ）前記式を満たすことを特徴とする。
【００４９】
前記１つの拡張された画面は、中間に継手がほとんど生じないように前記メインディスプレイパネルとサブディスプレイパネルを前記フォルダの一側角まで形成することを特徴とする。
【００５０】
前記１つの拡張された画面は、一側に翻訳台詞、携帯端末機の通信情報を含んだ文字情報を少なくとも１つ以上表示することを特徴とする。
【００５１】
前記１つの拡張された画面は、前記メインディスプレイパネルに構成されたメインアイコンと前記サブディスプレイパネルに構成されたサブアイコンが同一な方向にくるように構成することを特徴とする。
【００５２】
前記メインアイコンは、棒（bar）、外郭四角形、逆状（reverse）を含んだいずれか１つの形態でメニュー機能を与えて指定された動作を遂行するように構成することを特徴とする。
【００５３】
前記サブアイコンは、前記サブディスプレイパネルを広げた時、前記サブアイコンの表現の機能性が維持されるように、できる限り上下左右に対称された形態を有するように構成することを特徴とする。
【００５４】
前記の目的を達成するための本発明によるデュアルディスプレイパネルによる１つの拡張された画面を有する携帯端末機の画面表示制御装置は、メインディスプレイパネルのローラインを順次に選択してスキャンするメインスキャンドライバと、前記メインディスプレイパネルのカラムラインに映像データ信号を印加するメインデータドライバと、サブディスプレイパネルのローラインを順次に選択してスキャンするサブスキャンドライバと、前記サブディスプレイパネルのカラムラインに映像データ信号を印加するサブデータドライバと、前記メインディスプレイパネルと前記サブディスプレイパネルが各々独立的に駆動されるように前記ドライバを各々制御し、前記メインディスプレイパネルと前記サブディスプレイパネルが１つの拡張された画面で駆動されるように前記ドライバを各々制御する１つのコントローラと、を含むことを特徴とする。
【００５５】
前記コントローラは、前記携帯端末機のメインシステムからウィンドウデータをリード及びライトするウィンドウリード／ライト回路部と、前記メインディスプレイパネルを駆動するためのメインスキャンデータ信号とメイン映像データ信号を格納しているメインビデオメモリと、前記サブディスプレイパネルを駆動するためのサブスキャンデータ信号とサブ映像データ信号を格納しているサブビデオメモリと、前記メインビデオメモリ及び前記サブビデオメモリと前記ウィンドウリード／ライト回路部との間に伝送されるデータをロジカルまたはフィジカルでマッピングするロジカル／フィジカルマッピング回路部と、前記フリップセンサーの信号により前記サブビデオメモリに格納された前記サブスキャンデータ信号と前記サブ映像データ信号をＸＹ変換して出力するＸＹ変換ロジック部と、前記メインビデオメモリから受信されたメインスキャンデータ信号と前記メイン映像データ信号を前記メインスキャンドライバと前記メインデータドライバに伝送するメインスキャン／データインターフェース部と、前記ＸＹ変換ロジック部から受信されたサブスキャンデータ信号とサブ映像データ信号を前記サブスキャンドライバと前記サブデータドライバに伝送するサブスキャン／データインターフェース部と、を含んで構成されたことを特徴とする。
【００５６】
前記ロジカル／フィジカルマッピング回路部は、座標（ＸＬ）及び座標（Ｘｍ）を受信する減算器と、前記座標（ＹＬ）及び座標（Ｙｍ）を受信する加算器と、前記座標（ＸＬ）と座標（０）を受信する第１比較器と、前記座標（ＸＬ）と前記座標（Ｘｍ）を受信する第２比較器と、前記座標（ＸＬ）と座標（Ｘｍ＋Ｘｓ）を受信する第３比較器と、前記第１乃至第３比較器の出力信号を受信する論理組合部と、前記論理組合部の出力信号により前記座標（ＸＬ）と前記減算器の出力信号のうち、いずれか１つを選択して座標（ＸＰ）に出力する第１マクスと、前記論理組合部の出力信号により前記座標（ＹＬ）と前記加算器の出力信号のうち、いずれか１つを選択して座標（ＹＰ）に出力する第２マクスを含んで構成され、前記座標（ＸＬ、ＹＬ）は、ロジカルディスプレイメモリのウィンドウ（Ｗ１）上の座標であり、前記座標（Ｘｍ、Ｙｍ）は、画面の大きさがＸｍ×Ｙｍのメインディスプレイパネルの座標であり、前記座標（Ｘｓ）は、画面の大きさがＸｓ×Ｙｓのサブディスプレイパネル（Ｗ２）の座標であり、前記座標（ＸＰ、ＹＰ）は、ロジカルディスプレイメモリのウィンドウ（Ｗ１）上の座標（ＸＬ、ＹＬ）に対応するフィジカルビデオメモリの一座標であることを特徴とする。
【００５７】
前記ウィンドウリード／ライト回路部は、座標（Ｘｅ）及び座標（Ｘｂ）を受信する第１減算器と、前記第１減算器の出力信号を格納する第１レジスタと、前記第１レジスタの出力信号を受信して１ずつ加算する第１加算器と、座標（Ｙｅ）及び座標（Ｙｂ）を受信する第２減算器と、前記第２減算器の出力信号を格納する第２レジスタと、前記第２レジスタの出力信号を受信して１ずつ加算する第２加算器と、前記第１及び第２加算器の出力信号のうち、いずれか１つを選択するマルチプレクサと、前記マルチプレクサの出力信号を格納する第３レジスタと、前記第３レジスタの出力信号とクロック信号（ＣＬＫ）及びリード／ライト命令信号（Read/Write）を受信するコントロールロジック部と、前記コントロールロジック部の出力信号を受信するカウンター回路部と、前記第１レジスタ及び前記カウンター回路部の出力信号を受信する変更子と、前記第１レジスタ及び前記カウンター回路部の出力信号を受信する除算器と、前記変更子の出力信号と座標（Ｘｂ）を受信して座標（ＸＬ）を生じる第３加算器と、前記除算器の出力信号と座標（Ｙｂ）を受信して座標（Ｙｂ）を生じる第４加算器と、を含んで構成され、前記座標（Ｘｂ、Ｙｂ）（Ｘｅ、Ｙｅ）は、ロジカルディスプレイメモリにおけるウィンドウの座標であり、前記座標（ＸＬ、ＹＬ）は、前記ロジカルディスプレイメモリのウィンドウ上の座標であり、Ｘｅ>Ｘｂ、Ｙｅ>Ｙｂの条件を満たすことを特徴とする。
【発明の効果】
【００５８】
以上、説明したように、本発明によるデュアルディスプレイパネルによる１つの拡張された画面を有する携帯端末機とその画面表示制御方法及び画面表示制御装置によれば、前記メインディスプレイパネルと前記サブディスプレイパネルから構成された２つの画面を１つの拡張された大画面で具現することができる。
【００５９】
また、前記メインディスプレイパネルと前記サブディスプレイパネルから構成された２つの画面を継手がほとんどない１つの統合された画面で具現することができる。
【００６０】
また、前記メインディスプレイパネルと前記サブディスプレイパネルから構成された２つの画面を継手がほとんどない１つの統合された画面で構成し、この統合された画面に１６：９のような大画面映像を具現することができる。
【００６１】
また、前記メインディスプレイパネルと前記サブディスプレイパネルから構成された２つの画面を継手がほとんどない１つの統合された画面で構成し、この統合された画面に１６：９のような大画面映像と共に台詞及び通信情報などの付加情報を共に表すことができる。
【００６２】
また、前記メインディスプレイパネルと前記サブディスプレイパネルを各々制御する２つのディスプレイコントローラを１つの単一チップ（chip）で具現することによって、回路の大きさの最適化及び低電力化を実現することができる。
【００６３】
また、前記メインディスプレイパネルと前記サブディスプレイパネルから構成された１つの統合された画面にメインアイコンとサブアイコンが同一な方向に位置するように具現することができる。
【００６４】
また、前記サブアイコンの形態を最大限上下左右が対称的に具現することによって、前記サブアイコンの形態が前記サブディスプレイパネルの畳んで広げる動作と関係なしに、常に同一な形態を有する効果がある。
【００６５】
また、前記メインディスプレイパネルと前記サブディスプレイパネルから構成された１つの統合された画面に構成されるメインアイコンを機能性アイコンで具現することによって、他の製品より多くの機能と便利さが与えられる効果がある。
【発明を実施するための最良の形態】
【００６６】
以下、添付の図面を参照しつつ本発明の実施形態に対して詳細に説明する。
【００６７】
図３は、本発明によるデュアルディスプレイパネルによる１つの拡張された画面を有する携帯端末機の外形を示す斜視図であって、図３ａは、携帯端末機を畳んだ時の外形斜視図であり、図３ｂは、携帯端末機を広げた時に外側から見た外形斜視図であり、図３ｃは、携帯端末機を広げた時に内側から見た外形斜視図であり、図３ｄは、携帯端末機を広げた状態でサブディスプレイパネルを広げた時の外形斜視図である。
【００６８】
前記携帯端末機１００は、前記図３ａ乃至図３ｄに示すように、フォルダ１１０と本体１２０から構成されており、前記フォルダ１１０と前記本体１２０は、ヒンジ１３０により開いて閉じることができるように結合されている。
【００６９】
前記フォルダ１１０の内側にはディスプレイ用液晶画面であるメインディスプレイパネル１１５とイヤホン１１４が備えられており、前記フォルダ１１０の外側にはディスプレイ用液晶画面であるサブディスプレイパネル１１３が備えられたサブディスプレイパネル本体部１１１がヒンジ１１２により畳んで広げることができるように結合されている。そして、前記本体１２０の内側には各種機能ボタン及び番号ボタンを含むキーパッド１２３とマイク１２４が備えられており、前記下部フォルダ１２０の外側にはバッテリー１２１が挿入され、一側の上部にアンテナ１２２を備えている。
【００７０】
前記携帯端末機１００は、前記図３ｄに示すように、前記サブディスプレイパネル本体部１１１を広げた時、前記メインディスプレイパネル１１５と前記サブディスプレイパネル１１３との間に継手がほとんどなしに、一画面に整合されるように構成されている。即ち、前記サブディスプレイパネル１１３は、前記サブディスプレイパネル本体部１１１の一側角までディスプレイ液晶画面が形成されるように構成され、前記メインディスプレイパネル１１５は、前記サブディスプレイパネル１１３と対応する位置の前記フォルダ１１０の一側角までディスプレイ液晶画面が形成されるように構成される。
【００７１】
そして、前記サブディスプレイパネル１１３を畳んで広げることができるようにする前記ヒンジ１１２は、前記サブディスプレイパネル１１３の一側の下部に設けられる。前記ヒンジ１１２の構成及び機能に対しては後述する図４ａ乃至図４ｃで詳細に説明する。
【００７２】
前記メインディスプレイパネル１１５は、メインディスプレイパネル領域１１５ａとメインアイコン（ＩＣＯＮ）領域１１５ｂから構成される。そして、前記サブディスプレイパネル１１３もサブディスプレイパネル領域１１３ａとサブアイコン（ＩＣＯＮ）領域１１３ｂから構成される。前記図３ｄを参照して説明すれば、前記サブディスプレイパネル１１３を広げた時、前記メインアイコン領域１１５ｂと前記サブアイコン領域１１３ｂは、同一な方向に位置するように構成される。前記メインアイコン領域１１５ｂと前記サブアイコン領域１１３ｂの構成及び機能に対しては後述する図８（ａ）乃至図８（ｃ）で詳細に説明する。
【００７３】
図４は、ヒンジにより連結されたサブディスプレイパネルの構造を示す図であって、図４ａは、サブディスプレイパネルを広げた時の外形斜視図であり、図４ｂは、サブディスプレイパネルを広げた時の断面図であり、図４ｃは、サブディスプレイパネルを畳んだ時の断面図である。
【００７４】
前記図４ａ乃至図４ｃに示すように、前記デュアルディスプレイパネルフォルダ型携帯端末機１００は、前記サブディスプレイパネル１１３を広げた時、前記メインディスプレイパネル１１５と前記サブディスプレイパネル１１３が継手がほとんどなしに、一画面で具現されるように構成されている。このために、前記サブディスプレイパネル１１３を畳んで広げることができるように、前記サブディスプレイパネル本体部１１１がヒンジ１１２により前記フォルダ１１０に結合されている。この際、前記ヒンジ１１２は、前記メインディスプレイパネル１１５と前記サブディスプレイパネル１１３が継手がほとんどなしに、一画面で具現されるように、前記メインディスプレイパネル１１５と前記サブディスプレイパネル１１３の下に設けられる。
【００７５】
そして、図４ｂ及び図４ｃに示すように、前記デュアルディスプレイパネルフォルダ型携帯端末機１００は、前記サブディスプレイパネル１１３の畳んで広げた状態を感知するフリップセンサー１１６ａ、１１６ｂを前記ヒンジ１１２の一側と前記サブディスプレイパネル本体部１１１の一側に備えている。この際、前記サブディスプレイパネル本体部１１１の一側は、前記サブディスプレイパネル１１３が設けられていない反対側の面をいう。前記フリップセンサー１１６ａ、１１６ｂの機能については図５の説明で後述する。
【００７６】
図５は、本発明によるデュアルディスプレイパネルによる１つの拡張された画面を有する携帯端末機のディスプレイモジュールのブロック構成図である。
【００７７】
前記ディスプレイモジュール２００は、前記図５に示すように、メインディスプレイパネル１１５、メインスキャンドライバ２１１、メインデータドライバ２１２、サブディスプレイパネル１１３、サブスキャンドライバ２２１、サブデータドライバ２２２及びコントローラ２３０を含んで構成される。
【００７８】
前記メインディスプレイパネル１１５は、多数のローライン（Row Line）及びカラムライン（Column Line）がマトリックス形態で構成されて多数のピクセル（pixel）を形成しており、前記メインスキャンドライバ２１１及び前記メインデータドライバ２１２によりその動作が制御される。
【００７９】
この際、前記メインスキャンドライバ２１１は、前記メインディスプレイパネル１１５のローライン（Ｙ軸）に連結されて前記ローラインを順次に選択するスキャン動作を遂行する。この際、選択されたローラインに連結されたピクセルのうち、映像データが印加されたカラムライン（Ｘ軸）に該当するピクセルのみ発光することになる。
【００８０】
前記メインデータドライバ２１２は、前記メインディスプレイパネル１１５のカラムライン（Ｘ軸）に連結されてディスプレイされる映像データを電圧または電流に変換してパネルに印加する。前記メインデータドライバ２１２は、カラムラインの数に該当するデータを格納し、ローラインが選択される度に映像データ信号をパネルに印加する。
【００８１】
前記サブディスプレイパネル１１３は、多数のローライン及びカラムラインがマトリックス形態で構成されて多数のピクセル（pixel）を形成しており、前記サブスキャンドライバ２２１、前記サブデータドライバ２２２によりその動作が制御される。
【００８２】
この際、前記サブスキャンドライバ２２１は、前記サブディスプレイパネル１１３のローライン（Ｙ軸）に連結されて前記ローラインを順次に選択するスキャン動作を遂行する。この際、選択されたローラインに連結されたピクセルのうち、映像データが印加されたカラムライン（Ｘ軸）に該当するピクセルのみ発光することになる。
【００８３】
前記サブデータドライバ２２２は、前記サブディスプレイパネル１１３のカラムライン（Ｘ軸）に連結されてディスプレイされる映像データを電圧または電流に変換してパネルに印加する。前記サブデータドライバ２２２は、カラムラインの数に該当するデータを格納し、ローラインが選択される度に映像データ信号をパネルに印加する。
【００８４】
前記コントローラ２３０は、前記サブディスプレイパネル１１３が畳んで広がることによって、前記メインディスプレイパネル１１５のみ動作（独立画面モード）するように制御したり、または、前記メインディスプレイパネル１１５と前記サブディスプレイパネル１１３が１つの拡張された画面で動作（統合画面モード）するように制御する。以下、図６を参照して前記コントローラ２３０の構成及び機能について説明する。
【００８５】
図６は、図５に図示されたコントローラ２３０の内部構成を示すブロック図である。
【００８６】
前記コントローラ２３０は、前記図６に示すように、携帯端末機メインシステム２４０からウィンドウデータをリード及びライトするウィンドウリード／ライト回路部２３１と、前記メインディスプレイパネル１１５を駆動するためのメインスキャンデータ信号（ＭＳ）とメイン映像データ信号（ＭＤ）を格納しているメインビデオメモリ２３３と、前記サブディスプレイパネル１１３を駆動するためのサブスキャンデータ信号（ＳＳ）とサブ映像データ信号（ＳＤ）を格納しているサブビデオメモリ２３５と、前記メインビデオメモリ２３３及び前記サブビデオメモリ２３５と前記ウィンドウリード／ライト回路部２３１との間に伝送されるデータをロジカル（Logical）またはフィジカル（Physical）でマッピング（Mapping）するロジカル／フィジカルマッピング回路部２３２と、前記フリップセンサー１１６ａ、１１６ｂから受信された信号により、前記サブビデオメモリ２３５に格納された前記サブスキャンデータ信号（ＳＳ）と前記サブ映像データ信号（ＳＤ）をＸＹ変換して出力するＸＹ変換ロジック部２３６と、前記メインビデオメモリ２３３に格納された前記メインスキャンデータ信号（ＭＳ）と前記メイン映像データ信号（ＭＤ）を前記メインスキャンドライバ２１１と前記メインデータドライバ２１２に伝送するメインスキャン／データインターフェース部２３４と、前記ＸＹ変換ロジック部２３６から受信された前記サブスキャンデータ信号（ＳＳ）と前記サブ映像データ信号（ＳＤ）を前記サブスキャンドライバ２２１と前記サブデータドライバ２２２に伝送するサブスキャン／データインターフェース部２３７と、を含んで構成される。
【００８７】
前記の構成を有する前記コントローラ２３０は、前記フリップセンサー１１６ａ、１１６ｂから受信された信号により前記メインディスプレイパネル１１５と前記サブディスプレイパネル１１３が独立的に動作（独立画面モード）するよう制御したり、または、前記メインディスプレイパネル１１５と前記サブディスプレイパネル１１３が１つの拡張された画面で動作（統合画面モード）するように制御する。
【００８８】
即ち、前記フリップセンサー１１６ａ、１１６ｂから受信された信号が前記サブディスプレイパネル１１３が畳んでいることを感知した信号であれば、前記メインディスプレイパネル１１５のみ動作するように、前記メインスキャンドライバ２１１と前記メインデータドライバ２１２の動作を制御する。
【００８９】
そして、前記フリップセンサー１１６ａ、１１６ｂから受信された信号が前記サブディスプレイパネル１１３が広がっていることを感知した信号であれば、前記メインディスプレイパネル１１５と前記サブディスプレイパネル１１３が一画面で動作するように前記メイン及びサブスキャンドライバ２１１、２２１と前記メイン及びサブデータドライバ２１２、２２２の動作を制御する。
【００９０】
この際、前記コントローラ２３０は、前記サブディスプレイパネル１１３の画面形態が１８０度回転された形態で表示されなければならないので、前記サブスキャンドライバ２２１に伝送されるサブスキャンデータ信号と前記サブデータドライバ２２２に伝送されるサブ映像データ信号を内蔵されたＸＹ変換ロジック部２３６を通じて変換した後に伝送する。
【００９１】
図７は、図６に図示されたロジカル（Logical）／フィジカル（Physical）マッピング（Mapping）回路部２３２のデータマッピング動作を説明するための図であって、（ａ）は、ロジカルディスプレイメモリ（Logical Display Memory）を示す図であり、（ｂ）は、フィジカルビデオメモリ（Physical Video Memory）を示す図である。
【００９２】
そして、図８は、本発明によるロジカルディスプレイメモリの種々なる形態を示す図であって、図８ａ乃至図８ｃは、サブディスプレイパネルがメインディスプレイパネルの右側に拡張された構造を示す図であり、図８ｄ乃至図８ｆは、サブディスプレイパネルがメインディスプレイパネルの左側に拡張された構造を示す図である。
【００９３】
以下、システム（System）やプログラマー（Programmer）の観点から見るディスプレイメモリをロジカルディスプレイメモリ（Logical Display Memory）といい、また、実際のＳＲＡＭなどから構成されたハードウェア（hardware）的なディスプレイメモリをフィジカルビデオメモリ（Physical Video Memory）と称することになる。
【００９４】
前記ロジカル／フィジカルマッピング回路部２３２のデータマッピング動作を前記図７の（ａ）及び（ｂ）を参照して説明すれば次の通りである。
【００９５】
前記ロジカルディスプレイメモリ（ａ）画面の座標を直角座標系を使用して表せば、画面の大きさがＸｍ×Ｙｍのメインディスプレイパネル（Ｗ１）（Ｗ３）は、座標が（０、０）と（Ｘｍ−１、Ｙｍ−１）の四角形の形態で構成され、画面の大きさがＸｓ×Ｙｓのサブディスプレイパネル（Ｗ２）は、座標が（０、０）と（Ｘｓ−１、Ｙｓ−１）の四角形の形態で構成される。
【００９６】
このような形態の組合は、前記図８のような種々なる形態で具現できるが、実現性が最も高くて理解がやさしい前記図７の場合を例として説明する。
【００９７】
前記システムやプログラマーの観点から見るロジカルディスプレイメモリは、図７の（ａ）に示すように、座標（０、０）、（Ｘｍ＋Ｘｓ−１、０）、（Ｘｍ＋Ｘｓ−１、Ｙｓ−１）、（Ｘｍ、Ｙｓ−１）、（Ｘｍ−１、Ｙｓ）、（Ｘｍ−１、Ｙｍ−１）、そして（０、Ｙｍ−１）を連結する閉直線からなる多角形をなすことになる。
【００９８】
しかしながら、実際の映像データを格納するデュアルポート（Dual port）ＳＲＡＭ等からなるメインビデオメモリ２３３とサブビデオメモリ２３５は、各々メインディスプレイパネル１１５とサブディスプレイパネル１１３のスキャンモジュール（scan module）及びデータモジュール（data module）を駆動されなければならないハードウェア上の制限であって、前記図７の（ｂ）に示すようなフィジカルビデオメモリから構成される。即ち、前記フィジカルビデオメモリは、座標（０、０）、（Ｘｍ−１、Ｙｍ−１）の四角形からなるメインビデオメモリ（Ｗ１’）（Ｗ３）２３３と、座標（０、Ｙｍ）、（Ｘｓ−１、Ｙｍ＋Ｙｓ−１）の四角形からなるサブビデオメモリ（Ｗ１”）（Ｗ２）２３５から構成される。
【００９９】
この際、プログラマーの観点の座標をロジカルディスプレイメモリ｛図７の（ａ）｝のウィンドウ（Window）Ｗ１の座標（ＸＬ、ＹＬ）とし、これに対応するフィジカルビデオメモリ｛図７の（ｂ）｝のビデオメモリ（video memory）の一座標を（ＸＰ、ＹＰ）とすれば、前記図７の例のように、前記ロジカルディスプレイメモリ（ａ）上の１つのウィンドウＷ１は、フィジカルビデオメモリ（ｂ）では２つのウィンドウＷ１’とＷ１’’に分けられることになり、座標（ＸＰ、ＹＰ）は、Ｗ１’’上に位置することになる。
【０１００】
そして、前記ロジカルディスプレイメモリ（ａ）の（ＸＬ、ＹＬ）は、次のような数式によりフィジカルビデオメモリ（ｂ）に（ＸＰ、ＹＰ）でマッピング（mapping）される。
［数式１］
i) If 0=XL<=Xm, XP=XL and YP=YL
ii) If Xm<XL<=Xm+Xs、XP=XL-Xm and YP=YL+Ym
【０１０１】
これは、図９に図示されたブロック図（block diagram）でのようにハードウェア（hardware）で具現することができる。
【０１０２】
図９は、図６に図示されたロジカル／フィジカルマッピング回路部２３２のブロック構成図である。
【０１０３】
前記ロジカル／フィジカルマッピング回路部２３２は、前記図９に示すように、座標（ＸＬ）及び座標（Ｘｍ）を受信して減算する減算器３０１と、前記座標（ＹＬ）及び座標（Ｙｍ）を受信して加算する加算器３０２と、前記座標（ＸＬ）と座標（０）を受信して比較する第１比較器３０３と、前記座標（ＸＬ）と前記座標（Ｘｍ）を受信して比較する第２比較器３０４と、前記座標（ＸＬ）と座標（Ｘｍ＋Ｘｓ）を受信して比較する第３比較器３０５と、前記第１乃至第３比較器３０３〜３０５の出力信号を受信して論理組合する論理組合部３０６と、前記論理組合部３０６の出力信号により前記座標（ＸＬ）と前記減算器３０１の出力信号のうち、いずれか１つを選択して座標（ＸＰ）に出力する第１マクス３０７と、前記論理組合部３０６の出力信号により前記座標（ＹＬ）と前記加算器３０２の出力信号のうち、いずれか１つを選択して座標（ＹＰ）に出力する第２マクス３０８と、を含んで構成される。ここで、前記座標（ＸＬ、ＹＬ）は、前記ロジカルディスプレイメモリ（図７ａ）のウィンドウ（Ｗ１）上の座標であり、前記座標（Ｘｍ、Ｙｍ）は、画面の大きさがＸｍ×Ｙｍのメインディスプレイパネルの座標である。そして、前記座標（Ｘｓ、Ｙｓ）は、画面の大きさがＸｓ×Ｙｓのサブディスプレイパネル（Ｗ２）の座標であり、前記座標（ＸＰ、ＹＰ）は、前記ロジカルディスプレイメモリ（ａ）のウィンドウ（Ｗ１）上の座標（ＸＬ、ＹＬ）に対応するフィジカルビデオメモリ（ｂ）の一座標である。
【０１０４】
前記図７の（ａ）のように構成された大画面のロジカルディスプレイメモリ（logical display memory）は、多数の画面に分けて使用することができ、これをウィンドウ（window）と称する。
【０１０５】
図１０は、本発明によるウィンドウの構成方法を説明するための図である。
【０１０６】
前記ウィンドウの構成方法を説明する前に下記のような簡単な演算子を定義する必要がある。
【０１０７】
整理１：ａとｂが整数で、ｂ>０であれば、次のような唯一の整数ｑとｒが存在する。
［数式２］
a=bq+r, 0=r<b
【０１０８】
Ｘが実数である時、[Ｘ]はＸを越えない最も大きい整数を表す。
【０１０９】
整理２：すると、q=[a/b]、r=a-b[a/b]である。
【０１１０】
ここで、／は、除算を意味する。
【０１１１】
定義１：演算子ａＤｉｖ（ｂ）は、次の通り定義する：
ｑ＝ａ Ｄｉｖ（ｂ）
【０１１２】
定義２：演算子Ｍｏｄ（ａ／ｂ）は、次の通り定義する：
ｒ＝ａ Ｍｏｄ（ｂ）
【０１１３】
１つの四角形形態のウィンドウは、直角座標系で図１０に示すように、（Ｘｂ、Ｙｂ）（Ｘｅ、Ｙｅ）と指定されることができる。ここで、Ｘｅ>Ｘｂ、Ｙｅ>Ｙｂである。各々のウィンドウは、ロジカルディスプレイメモリ上に任意大きさで重畳して構成されることができるが、動作説明のために、ロジカルメモリ内に多数のウィンドウが重畳されないタイトル（tile）形態で構成されたことを例に挙げる。
【０１１４】
一般的なロジカルディスプレイメモリに読んで書く動作の順序は、
１．各々のウィンドウＷｉの開始座標（Ｘｂｉ、Ｙｂｉ）（Ｘｅｉ、Ｙｅｉ）を設定し、
２．多数のウィンドウのうち、活性化されるウィンドウＷｋを選択し、
３．データの個数ＮＷｋは、次の通りであり、この個数だけ読んで書くことになる。
【０１１５】
ＮＷｋ＝、＝（Ｘｅｋ−Ｘｂｋ＋１）×（Ｙｅｋ−Ｙｂｋ＋１）
【０１１６】
ここで、（Ｘｂｋ、Ｙｂｋ）と（Ｘｅｋ、Ｙｅｋ）は、ウィンドウＷｋのＸＹ直角座標系の最初と最後の座標を意味する。
【０１１７】
このような動作は、読んで／書くディジタルクロック（Digital Clock）に同期して次のような動作で遂行することになる。
【０１１８】
Ｃ＝０；リード／ライトカウンタ（Counter）の初期化
ＮＸ＝Ｘｅ−Ｘｂ；ウィンドウのＸ軸大きさ
ＮＹ＝Ｙｅ−Ｙｂ；ウィンドウのＹ軸大きさ
ＮＷｋ＝（ＮＸ＋１）*（ＮＹ＋１）；全体データ数
読んで書くクロック毎に、そしてＣがＮＷｋになる時まで
（
ＸＬ＝Ｘｂ＋Ｃ  Ｍｏｄ（ＮＸ）；
ＹＬ＝Ｙｂ＋Ｃ  Ｄｉｖ（ＮＸ）
Ｃ＝Ｃ＋１；
）
【０１１９】
これをハードウェア（hardware）で構成すれば、図１１の通りである。ここで、変更子と除算器は、２の補数減算器等で多様に具現されることができる。
【０１２０】
図１１は、図６に図示されたウィンドウリード／ライト回路部２３１のブロック構成図である。
【０１２１】
前記ウィンドウリード／ライト回路部２３１は、座標（Ｘｅ）及び座標（Ｘｂ）を受信する第１減算器４０１と、前記第１減算器４０１の出力信号を格納する第１レジスタ４０２と、前記第１レジスタ４０２の出力信号を受信して１ずつ加算する第１加算器４０３と、座標（Ｙｅ）及び座標（Ｙｂ）を受信する第２減算器４０４と、前記第２減算器４０４の出力信号を格納する第２レジスタ４０５と、前記第２レジスタ４０５の出力信号を受信して１ずつ加算する第２加算器４０６と、前記第１及び第２加算器４０３、４０６の出力信号のうち、いずれか１つを選択するマルチプレクサ４０７と、前記マルチプレクサ４０７の出力信号を格納する第３レジスタ４０８と、前記第３レジスタ４０８の出力信号とクロック信号（ＣＬＫ）及びリード／ライト命令信号（Read/Write）を受信するコントロールロジック部４０９と、前記コントロールロジック部４０９の出力信号を受信するカウンター回路部４１０と、前記第１レジスタ４０２及び前記カウンター回路部４１０の出力信号を受信する変更子４１１と、前記第１レジスタ４０２及び前記カウンター回路部４１０の出力信号を受信する除算器４１２と、前記変更子４１１の出力信号と座標（Ｘｂ）を受信して座標（ＸＬ）を生じる第３加算器４１３と、前記除算器４１２の出力信号と座標（Ｙｂ）を受信して座標（ＹＬ）を生じる第４加算器４１４と、を含んで構成される。
【０１２２】
ここで、前記座標（Ｘｂ、Ｙｂ）（Ｘｅ、Ｙｅ）は、ロジカルディスプレイメモリでのウィンドウの座標であり、前記座標（ＸＬ、ＹＬ）は、前記ロジカルディスプレイメモリのウィンドウ上の座標であり、Ｘｅ>Ｘｂ、Ｙｅ>Ｙｂである。
【０１２３】
図１２は、図６に図示されたＸＹ変換ロジック部２３６の動作を説明するためのフィジカルビデオメモリを示す図である。
【０１２４】
独立画面モードと統合画面モードを具現する時、サブディスプレイパネルの画面形態は、１８０度回転された形態で表示されなければならない。前記図１２に示すように、フィジカルビデオメモリの座標が与えられた時、独立画面モードの場合、前記サブディスプレイパネル１１３を駆動するためにサブデータドライバ２２２に印加されるデータの順序は、次の通りである。
【０１２５】
(0, Ym), (1, Ym), ………, (Xs-1, Ym)
(0., Ym+1), (1, Ym+1), ………, (Xs-1, Ym+1)
………
(0, Ym+Ys-1), (1, Ym+Ys-1),………, (Xs-1, Ym+Ys-1)
【０１２６】
そして、統合画面モードの場合は、上の独立画面モードの逆順であって、次の通りである。
【０１２７】
(Xs-1, Ym+Ys-1),………,(0, Ym+Ys-1), (1, Ym+Ys-1)
………
(Xs-1, Ym+1), (1, Ym+1),………,(0, Ym+1)
(Xs-1, Ym),………,(1, Ym), (0, Ym)
【０１２８】
したがって、独立画面モードの座標（Ｘｋ、Ｙｋ）が統合画面モードの座標（Ｘｔ、Ｙｔ）の相関関係を関数で表現すれば次の通りである。
【０１２９】
Xt=(Xs-1)-Xk
Yt=(Ym+Ys-1)-Yk
【０１３０】
このような回路の具現は、簡単な足し算、引き算回路で具現できるので、図示していない。
【０１３１】
図１３は、本発明によるウィンドウ使用方法を説明するための図であって、図１３ａは拡張時に統合されたメイン及びサブディスプレイパネルの使用方法を説明するためのウィンドウ図であり、図１３ｂは、１６：９を最大限具現できるウィンドウの構成例を示す図である。
【０１３２】
１．拡張時に統合されたメイン／サブディスプレイパネルの使用方法
前記図１３ａのロジカルディスプレイメモリで効率のよい大画面形態のウィンドウ構成方法は、メインウィンドウ（Ｗ１）をできる限り大きく１６：９の形態、即ち（Ｘｍ＋Ｘｓ）：Ｙｓ＝１６：９で構成し、第１サブウィンドウ（Ｗ２）、第２サブウィンドウ（Ｗ３）に順次に多数のウィンドウを構成する。この際、１つの応用例を挙げれば、メインウィンドウは、１６：９形態のマルチメディア（multi-media）動映像が現れて、第１及び第２サブウィンドウ（Ｗ２）（Ｗ３）は、翻訳台詞や携帯端末機の通信情報（例えば、メッセンジャーメッセージ等）を表示するに活用することができる。
【０１３３】
この具現例として、メインディスプレイパネル１１５が１２８×１２８、サブディスプレイパネルが９６×９６の場合を見れば、１７１×９６、５３×９６、１２８×３２の３つのウィンドウを図１３ｂのように表れることができる。
【０１３４】
参照で、ディジタルロジック回路の特性上、よりやさしいハードウェアの具現は、偶数の形態の１７０×９６、５４×９６、１２８×３２である。
【０１３５】
２．１６：９を最大限具現できるウィンドウ構成方法
そして、小型の携帯端末機の特性上、統合画面の大きさが異なる電子機器より相対的に小さいので、できる限りウィンドウの大きさは大きくてウィンドウの個数を少なくしながら１６：９形態のメインウィンドウを具現するために、１つの主ウィンドウと１つの副ウィンドウで構成することが最も好ましいウィンドウ構成方法である。ここで、メインディスプレイパネル１１５は、サブディスプレイパネル１１３より大きいと仮定する。
【０１３６】
前記メインディスプレイパネル１１５がＸｍ×Ｙｍであり、前記サブディスプレイパネル１１３がＸｓ×Ｙｓの大きさを有する時、下記式のような関係を有する。
【０１３７】
(Xm+Xs):Ys=16:9
Ys=9(Xm+Xs)/16
【０１３８】
ここで、Ｘｍ>Ｘｓであり、Ｙｍ>Ｙｓである。
【０１３９】
これをメインディスプレイパネルの標準規格であるＣＩＦとＶＧＡ規格に従う場合、１６：９型の画面を效率よく構成するためのサブディスプレイパネルの規格の例は、下記の表１の通りである。
【表１】
2007512759.tif 000003
【０１４０】
図１４は、本発明によるメイン及びサブアイコンの配列方法を説明するための図であって、図１４ａは、拡張画面モードの際、従来技術に係るディスプレイパネルの形態を示す図であり、図１４ｂは、拡張画面モードの際、本発明によるディスプレイパネルの形態を示す図であり、図１４ｃは、拡張画面モードの際、本発明による他のディスプレイパネルの形態を示す図である。
【０１４１】
前記メインディスプレイパネルと前記サブディスプレイパネルのアイコン（ＩＣＯＮ）は、拡張画面モードになれば前記サブディスプレイパネルが１８０度回転して前記メインディスプレイパネルに連結される。この際、前記サブディスプレイパネルの画像位置は、上下左右が変わることになり、独立画面モードの際、上段に位置したサブディスプレイパネルのアイコンは、上下左右が変わった形態で、図１４ａに示すように拡張モードの下段に位置する。
【０１４２】
したがって、前記サブディスプレイパネルのアイコンを独立モードの際、既存の上段に位置することより下段に位置させることによって、拡張画面モードの際、図１４ｂに示すように、統一された形態で表すことができるため、より使用の便利さを提供することができる。
【０１４３】
同様に、メインディスプレイパネルのアイコンの位置がパネルの下段に位置する場合、サブディスプレイパネルのアイコンは、図１４ｃに示すように、独立画面モードの際、前記サブディスプレイパネルの下段に位置することが好ましい。
【０１４４】
一方、前記図８ｄ乃至図８ｆに示すように、ヒンジ（Hinge）が左側に位置して前記サブディスプレイパネルが左側に広がる場合にも上記の方法を同様に適用させることができる。
【０１４５】
図１５は、本発明によるアイコンの形態を示す図であって、図１５ａは、従来技術に係るアイコンの形態を示す図であり、図１５ｂは、図１５ａのアイコンを１８０度回転した形態を示す図であり、図１５ｃは、本発明によるアイコンの形態を示す図であり、図１５ｄは、図１５ｃのアイコンを１８０度回転した形態を示す図である。
【０１４６】
前記サブディスプレイパネルのアイコンは、拡張画面モードの際、上下左右が変わるので、アイコン（ＩＣＯＮ）の図形設計時に前記図１５ｃ及び図１５ｄに示すように、できる限り、上下左右が対称にされるように設計する。したがって、前記アイコンが１８０度回転してもアイコンの機能的な形態は、そのまま維持される。
【０１４７】
最後に、図１６は、本発明による機能性アイコンの形態を示す図であって、図１６ａは、本発明による機能性アイコンをメインアイコンに使用した例を示す図であり、図１６ｂは、図１５ｄに図示されたアイコンをサブアイコンに使用した例を示す図である。
【０１４８】
既存の一般的なアイコンは、前記図１６ｂに示すように、そのアイコンに該当するいかなる状態かを表す単純な表示手段の役割をした。しかしながら、本発明では、前記図１６ａに示すように、アイコンの下に棒（bar）や外郭四角形、そして逆状（reverse）の形態で構成し、メニュー機能を付加して指定された動作を遂行することができるようにする機能性アイコンを具現した。
【０１４９】
その例として、前記図１６ａに示すように、インターネットブラウザー（internet browser）のアイコンを棒（under bar）で選択することによって、携帯端末機でインターネットに接続する時、ＰＣのインターネットブラウザーでのように便利に使用することができる。
【０１５０】
併せて、本発明の好ましい実施形態は、例示の目的のために開示されたものであり、当業者であれば本発明の思想と範囲内で多様な修正、変更、付加などが可能であり、このような修正変更などは、特許請求範囲に属することと見るべきである。
【図面の簡単な説明】
【０１５１】
【図１】従来技術に係るデュアルディスプレイパネルを有する携帯端末機の外形を示す斜視図であって、図１ａは、携帯端末機を畳んだ時の外形斜視図であり、図１ｂは、携帯端末機を広げた時に外側から見た外形斜視図であり、図１ｃは、携帯端末機を広げた時に内側から見た外形斜視図である。
【図２】従来技術に係るデュアルディスプレイパネルを有する携帯端末機のディスプレイモジュールのブロック構成図である。
【図３】本発明によるデュアルディスプレイパネルによる１つの拡張された画面を有する携帯端末機の外形を示す斜視図であって、図３ａは、携帯端末機を畳んだ時の外形斜視図であり、図３ｂは、携帯端末機を広げた時に外側から見た外形斜視図であり、図３ｃは、携帯端末機を広げた時に内側から見た外形斜視図であり、図３ｄは、携帯端末機を広げた状態でサブディスプレイパネルを広げた時の外形斜視図である。
【図４】ヒンジにより連結されたサブディスプレイパネルの構造を示す図であって、図４ａは、サブディスプレイパネルを広げた時の外形斜視図であり、図４ｂは、サブディスプレイパネルを広げた時の断面図であり、図４ｃは、サブディスプレイパネルを畳んだ時の断面図である。
【図５】本発明によるデュアルディスプレイパネルによる１つの拡張された画面を有する携帯端末機のディスプレイモジュールのブロック構成図である。
【図６】図５に図示されたコントローラ（Controller）の内部構成を示すブロック図である。
【図７】図６に図示されたロジカル（Logical）／フィジカル（Physical）マッピング（Mapping）回路部のデータマッピング動作を説明するための図であって、（ａ）は、ロジカルディスプレイメモリを示す図であり、（ｂ）は、フィジカルビデオメモリを示す図である。
【図８】本発明によるメイン及びサブディスプレイパネルを広げた時、整合をなす位置に係るロジカルディスプレイメモリの種々なる形態を示す図であって、図８ａ乃至図８ｃは、サブディスプレイパネルがメインディスプレイパネルの右側に拡張された構造を示す図であり、図８ｄ乃至図８ｆは、サブディスプレイパネルがメインディスプレイパネルの左側に拡張された構造を示す図である。
【図９】図６に図示されたロジカル／フィジカルマッピング回路部のブロック構成図である。
【図１０】本発明による拡張画面構成時にウィンドウ（Window）の構成方法を説明するための図である。
【図１１】図６に図示されたウィンドウリード（Read）／ライト（Write）回路部のブロック構成図である。
【図１２】図６に図示されたＸＹ変換ロジック（Logic）部の動作を説明するためのフィジカルビデオメモリを示す図である。
【図１３】本発明によるウィンドウ使用方法を説明するための図であって、図１３ａは、拡張時に統合されたメイン及びサブディスプレイパネルの使用方法を説明するためのウィンドウ図であり、図１３ｂは、１６：９を最大限具現できるウィンドウの構成例を示す図である。
【図１４】本発明によるメイン及びサブアイコンの配列方法を説明するための図であって、図１４ａは、拡張画面モードの際、従来技術に係るディスプレイパネルの形態を示す図であり、図１４ｂは、拡張画面モードの際、本発明によるディスプレイパネルの形態を示す図であり、図１４ｃは、拡張画面モードの際、本発明による他のディスプレイパネルの形態を示す図である。
【図１５】本発明によるアイコンの形態を示す図であって、図１５ａは、従来技術に係るアイコンの形態を示す図であり、図１５ｂは、図１５ａのアイコンを１８０度回転した形態を示す図であり、図１５ｃは、本発明によるアイコンの形態を示す図であり、図１５ｄは、図１５ｃのアイコンを１８０度回転した形態を示す図である。
【図１６】本発明による機能性アイコンの形態を示す図であって、図１６ａは、本発明による機能性アイコンをメインアイコンに使用した例を示す図であり、図１６ｂは、図１５ｄに図示されたアイコンをサブアイコンに使用した例を示す図である。
【符号の説明】
【０１５２】
１００    デュアルディスプレイパネルフォルダ型携帯端末機
１１０    フォルダ
１１１    サブディスプレイパネル本体部
１１２    ヒンジ
１１２ａ  ヒンジ軸
１１３    サブディスプレイパネル
１１３ａ  サブディスプレイパネル領域
１１３ｂ  サブアイコン領域
１１４    イヤホン
１１５    メインディスプレイパネル
１１５ａ  メインディスプレイパネル領域
１１５ｂ  メインアイコン領域
１１６ａ、１１６ｂ    フリップセンサー（flip sensor）
１２０    本体
１２１    バッテリー
１２２    アンテナ
１２３    キーパッド
１２４    マイク
１３０    ヒンジ
２００    ディスプレイモジュール
２１１    メインスキャンドライバ
２１２    メインデータドライバ
２２１    サブスキャンドライバ
２２２    サブデータドライバ
２３０    コントローラ
２３１    ウィンドウリード／ライト回路部
２３２    ロジカル／フィジカルマッピング回路部
２３３    メインビデオメモリ
２３４    メインスキャン／データインターフェース部
２３５    サブビデオメモリ
２３６    ＸＹ変換ロジック部
２３７    サブスキャン／データインターフェース部
２４０    携帯フォンメインシステム
３０１    減算器
３０２    加算器
３０３    第１比較器
３０４    第２比較器
３０５    第３比較器
３０６    論理組合部
３０７    第１マクス（ＭＵＸ）
３０８    第２マクス
４０１    第１減算器
４０２    第１レジスタ
４０３    第１加算器
４０４    第２減算器
４０５    第２レジスタ
４０６    第２加算器
４０７    マルチプレクサ
４０８    第３レジスタ
４０９    コントロールロジック部
４１０    カウンター回路部
４１１    変更子
４１２    除算器
４１３    第３加算器
４１４    第４加算器
【図１】
2007512759.tif 000004
【図２】
2007512759.tif 000005
【図３】
2007512759.tif 000006
【図４】
2007512759.tif 000007
【図５】
2007512759.tif 000008
【図６】
2007512759.tif 000009
【図７】
2007512759.tif 000010
【図８】
2007512759.tif 000011
【図９】
2007512759.tif 000012
【図１０】
2007512759.tif 000013
【図１１】
2007512759.tif 000014
【図１２】
2007512759.tif 000015
【図１３】
2007512759.tif 000016
【図１４】
2007512759.tif 000017
【図１５】
2007512759.tif 000018
【図１６】
2007512759.tif 000019
【国際調査報告】
2007512759.tif 000020
2007512759.tif 000021